(57)【要約】【課題】本発明は、高周波領域でも警報接点表示線に流れる電流を低減させ、商用電流に含まれる高周波成分により警報接点表示線が遮断されず、高周波電流特性を向上させることができる警報接点付きヒューズを提供することを目的とする。【解決手段】本発明の警報接点付きヒューズは、インダクタと寄生抵抗を具備するヒューズエレメントと、ヒューズエレメントに並列に接続され、ヒューズエレメントを流れる雷サージ電流の高周波成分をバイパスし、かつインダクタと寄生抵抗とを具備する警報接点表示線と、追加回路と警報接点表示線を組み合わせたインピーダンスとヒューズエレメントのインピーダンスとの比が１ＭＨｚにおいて１００倍以上となるように設定される追加回路とを備えることを特徴とする。【選択図】図４
2010027237.tif 000002
【特許請求の範囲】
【請求項１】
被防護素子と接続する端子と、
インダクタと寄生抵抗を具備する過電流を検出するヒューズエレメントと、
前記ヒューズエレメントに並列に接続され、前記ヒューズエレメントを流れる雷サージ電流の高周波成分をバイパスし、かつインダクタと寄生抵抗とを具備する警報接点表示線とを備える警報接点付きヒューズにおいて、
インダクタおよび寄生抵抗を具備し、前記警報接点表示線に直列に配置される追加回路であって、当該追加回路と前記警報接点表示線を組み合わせたインピーダンスと前記ヒューズエレメントのインピーダンスとの比が１ＭＨｚにおいて１００倍以上となるように設定される追加回路をさらに備えることを特徴とする警報接点付きヒューズ。
【請求項２】
前記追加回路のインダクタは、前記警報接点表示線をコイル状に巻くことにより形成されることを特徴とする請求項１に記載の警報接点付きヒューズ。
【発明の詳細な説明】
【技術分野】
【０００１】
本発明は、電力供給を受ける装置の溶断警報接点付きヒューズに係り、特に雷サージ電流の高周波電流特性を向上させる警報接点付きヒューズに関する。
【背景技術】
【０００２】
従来の雷防護付き回路遮断器は、図１に示す構成１００のように、被防護素子と接続する端子と、過電流を検出するコイルであるヒューズエレメント１０１と、これに流れるべき雷サージ電流の高周波成分をバイパスし、かつインダクタンスと抵抗との組合せまたは抵抗により構成されるバイパス回路である警報接点表示線１０２と、警報接点１０３とを備えることを特徴とする（特許文献１参照）。
【０００３】
図２に、上記図１に示す構成１００を実現する等価回路の一例である回路２００の回路図を示す。  
図２において、ヒューズエレメント１０１は、インダクタンスＬ６（１０ｎＨ）と、寄生抵抗Ｒ６（０．３ｍΩ）とから成り、警報接点表示線１０２は、インダクタンスＬ７（１００ｎＨ）と、寄生抵抗Ｒ７（０．３Ω）とから成る。図１および図２に示す従来技術では、雷サージ電流の高周波成分を警報接点表示線に流すことにより、雷サージ電流の高周波成分がヒューズエレメント１０１に流れることを防止している。
【０００４】
【特許文献１】特開２００４−２５３２２２号公報
【発明の開示】
【発明が解決しようとする課題】
【０００５】
しかしながら、上記従来技術では、商用電流に含まれる高周波成分により、ヒューズエレメントのインピーダンスが増加して、並列に接続されている警報接点表示線に多くの電流が流れ、警報接点表示線が先に溶断してしまうという問題が存在した。従って、本発明は、高周波領域において、ヒューズエレメントと警報接点表示線の電流分配をコントロールし、高周波電流特性を向上させる警報接点付きヒューズを提供することを目的とする。
【課題を解決するための手段】
【０００６】
上記課題を解決するために、本発明の警報接点付きヒューズは、被防護素子と接続する端子と、インダクタと寄生抵抗を具備する過電流を検出するヒューズエレメントと、上記ヒューズエレメントに並列に接続され、上記ヒューズエレメントを流れる雷サージ電流の高周波成分をバイパスし、かつインダクタと寄生抵抗とを具備する警報接点表示線とを備える警報接点付きヒューズにおいて、インダクタおよび寄生抵抗を具備し、上記警報接点表示線に直列に配置される追加回路であって、当該追加回路と上記警報接点表示線を組み合わせたインピーダンスと上記ヒューズエレメントのインピーダンスとの比が１ＭＨｚにおいて１００倍以上となるように設定される追加回路をさらに備えることを特徴とする。
【０００７】
また、本発明の警報接点付きヒューズは、上記追加回路のインダクタは、上記警報接点表示線をコイル状に巻くことにより形成されるものとしてもよい。
【発明の効果】
【０００８】
本発明の警報接点付きヒューズによれば、警報接点表示線とヒューズエレメントのインピーダンス比を１ＭＨｚの高周波領域において１００倍以上とすることにより、従来と同等の警報接点の遮断時間で、高周波領域でも警報接点表示線に流れる電流を低減させることができ、商用電流に含まれる高周波成分により警報接点表示線が遮断されず、高周波電流特性を向上させることができる。
【発明を実施するための最良の形態】
【０００９】
以下、本発明の一実施形態について図面を参照して説明する。  
図３は、本発明の一実施形態による警報接点付きヒューズの一例である構成３００を示す構成図である。  
図３において、構成３００は、過電流を検出するヒューズエレメント３０１と、ヒューズエレメントに並列に接続され、ヒューズエレメントを流れる雷サージ電流の高周波成分をバイパス警報接点表示線３０２と、ヒューズエレメント３０１が遮断された場合に警報を知らせる警報接点３０３と、追加回路３０４とを備える。
【００１０】
図４は、図３に示す構成３００を実現する等価回路の一例である回路４００を示す回路図である。  
図４において、ヒューズエレメント３０１は、インダクタＬ６（１０ｎＨ）と寄生抵抗Ｒ６（０．３ｍΩ）とから成り、警報接点表示線３０２は、インダクタＬ７（１００ｎＨ）と寄生抵抗Ｒ７（０．３Ω）とから成り、追加回路３０４は、インダクタＬ８（１μＨ）と寄生抵抗Ｒ８（６Ω）とから成る。ここで、インダクタＬ６、Ｌ７と、寄生抵抗Ｒ６、Ｒ７は、図２に示した従来技術による回路２００と同じである。インダクタＬ８は、高周波領域でのインピーダンス値を高くするために、ヒューズエレメント３０１のインダクタＬ６よりも大きなインダクタンスを有し、同様に、寄生抵抗Ｒ８は、寄生抵抗Ｒ６よりも大きな抵抗値を有している。
【００１１】
なお、ここでは、インダクタＬ８は独立した素子として記載されているが、警報接点表示線３０２の一部をコイル状に巻くことにより形成してもよい。また、インダクタＬ７とＬ８、Ｒ６とＲ８は、別の素子として記載されているが、それぞれを組み合わせて１つの素子として、上述と同様の特性を有するものとしてもよい。
【００１２】
図５は、図２および図４に示す回路において、ヒューズエレメントに流れる電流と警報接点表示線に流れる電流の周波数特性を示す図である。  
図５において、（Ａ）は、図２に示す回路２００の回路定数の場合にヒューズエレメント１０１に流れる電流を示し、（Ｂ）は、図２に示す回路２００の回路定数の場合に警報接点表示線１０２に流れる電流を示し、（Ｃ）は、図４に示す回路４００の回路定数の場合にヒューズエレメント３０１に流れる電流を示し、（Ｄ）は、図４に示す回路４００の回路定数の場合に警報接点表示線１０２に流れる電流を示す。図５からわかるように、本実施形態の構成を採用することにより、従来技術より高周波領域において警報接点表示線３０２に流れる電流を低減することができる。
【００１３】
図６は、追加回路３０４に様々な定数を使用した場合の、追加回路３０４と警報接点表示線３０２を組み合わせたインピーダンスと、ヒューズエレメント３０１のインピーダンスとの周波数特性を示す図である。  
図６において、（１）は、ヒューズエレメント３０１のインピーダンスを示し、（２）は、追加回路３０４として何も追加しない場合、すなわち図２に示す従来技術の警報接点表示線１０２のインピーダンスを示し、（３）は、追加回路３０４としてＲ８（０．３Ω）およびＬ８（１μＨ）を追加した場合を示し、（４）は、追加回路３０４としてＲ８（０．３Ω）およびＬ８（１０μＨ）を追加した場合を示す。ここで、追加回路３０４と上記警報接点表示線３０２を組み合わせたインピーダンスと、ヒューズエレメント３０１のインピーダンスとの比が１ＭＨｚにおいて１００倍以上となるように設定されていれば、本発明の効果が得られるため、追加回路３０４として、図６の（３）（４）に示す定数、またはその他の上記の条件を満たす定数であれば使用することができる。
【００１４】
以上のように、本発明の警報接点付きヒューズによれば、高周波領域において、追加回路３０４と警報接点表示線３０２を組み合わせたインピーダンスと、ヒューズエレメント３０１のインピーダンスとの比を１ＭＨｚにおいて１００倍以上とすることにより、従来と同等の警報接点の遮断時間で、高周波領域でも追加回路３０４と警報接点表示線３０２に流れる電流を低減させることができ、商用電流に含まれる高周波成分により警報接点表示線３０２が遮断されず、高周波電流特性を向上させることができる。
【図面の簡単な説明】
【００１５】
【図１】従来技術による警報接点付きヒューズの一例である構成１００を示す構成図である。
【図２】図１に示す構成１００を実現する等価回路の一例である回路２００を示す回路図である。
【図３】本発明の一実施形態による警報接点付きヒューズの一例である構成３００を示す構造図である。
【図４】図３に示す構成３００を実現する等価回路の一例である回路４００を示す回路図である。
【図５】図２および図４に示す回路２００，４００において、ヒューズエレメント１０１，３０１に流れる電流と警報接点表示線１０２，３０２に流れる電流の周波数特性を示す図である。
【図６】追加回路３０４に様々な定数を使用した場合の、追加回路３０４と警報接点表示線３０２を組み合わせたインピーダンスと、ヒューズエレメント３０１のインピーダンスの周波数特性を示す図である。
【符号の説明】
【００１６】
１０１、３０１  ヒューズエレメント
１０２、３０２  警報接点表示線
１０３、３０３  警報接点
１０４、３０４  追加回路
【図１】
2010027237.tif 000003
【図２】
2010027237.tif 000004
【図３】
2010027237.tif 000005
【図４】
2010027237.tif 000006
【図５】
2010027237.tif 000007
【図６】
2010027237.tif 000008